(57)【要約】【課題】就寝中の人体に飛来または接近する不快な害虫、例えば蚊、ハエ、ハチ、カメムシ、ウンカ等の飛翔性害虫や、塵性ダニ、ゴキブリ、クモ、アリ等の匍匐性害虫等を効率的に忌避することにより就寝時のヒトに充分な睡眠をもたらし得、かつ安全上も問題のない害虫忌避枕を提供する。【解決手段】天然防虫成分が枕の構成部材に含有されてなる害虫忌避枕及び、かかる枕をヒトの頭に当てることを特徴とする人体から害虫を忌避させる方法。【選択図】　　なし【特許請求の範囲】
【請求項１】
天然防虫成分が枕の構成部材に含有されてなる害虫忌避枕。
【請求項２】
害虫が飛翔性害虫である請求項１に記載の害虫忌避枕。
【請求項３】
飛翔性害虫が蚊、ハエ、ハチ、カメムシまたはウンカである請求項２に記載の害虫忌避枕。
【請求項４】
害虫が匍匐性害虫である請求項１に記載の害虫忌避枕。
【請求項５】
匍匐性害虫が塵性ダニ、ゴキブリ、クモまたはアリである請求項４に記載の害虫忌避枕。
【請求項６】
天然防虫成分の蒸気圧が２０℃で１０ー５〜１０−１ｍｍＨｇである請求項１〜５のいずれかに記載の害虫忌避枕。
【請求項７】
天然防虫成分が植物精油である請求項１〜６のいずれかに記載の害虫忌避枕。
【請求項８】
植物精油が、ティ−トリ−油、パチョリ油、ペパーミント油、ハッカ油、ヒノキ油、ヒバ中性油、ヒバ酸性油、油パイン油、シソ油、イヌハッカ油、シダ−ウッド油、ラベンダー油、コリアンダー油、ユーカリ油、シトロネラ油、ライム油、レモングラス油、ネロリ油、ヒバ油、タイム油、ヒソップ油、ローズマリー油、ローズ油、イランイラン油、コショウ油、シナモン油、クスノキ油、ローレル油、カミツレ油、ヨモギ油、オリバヌム油、タラゴン油、べチバー油、クローブ油、ベイ油、ゼラニウム油、セージ油、バジル油、パセリ油、スターアニス油、フェンネル油、マヌカ油、ガルバナム油、グアイアックウッド油、センキュウ油、ディル油、バイオレット油、アンゲリカ油、ターメリック油、ショウガ油、アンブレット油及びウインターグリーン油から選ばれる少なくとも１種である請求項７に記載の害虫忌避枕。
【請求項９】
天然防虫成分が、ヒノキチオールである請求項１〜５のいずれかに記載の害虫忌避枕。
【請求項１０】
天然防虫成分が、４−ヒドロキシ−６−メチル−３−（４−メチル−２−ペンタノリル）−２−ピロンである請求項１〜５のいずれかに記載の防虫忌避枕。
【請求項１１】
枕の構成部材が収納体及び該収納体に充填されてなる充填物を含むものであり、天然防虫成分が該収納体または該充填物に含有されたものである請求項１〜１０のいずれかに記載の害虫忌避枕。
【請求項１２】
枕の構成部材が収納体、該収納体に充填されてなる充填物及び枕カバーを含むものであり、天然防虫成分が該枕カバーに含有されたものである請求項１〜１０のいずれかに記載の害虫忌避枕。
【請求項１３】
請求項１〜１２のいずれかに記載の枕をヒトの頭に当てることを特徴とする人体から害虫を忌避させる方法。
【発明の詳細な説明】
【０００１】
【発明の属する技術分野】
本発明は、カやハエなどの害虫を有効に忌避し、就寝時のヒトに充分な睡眠をもたらし得る害虫忌避枕に関する。
【０００２】
【従来の技術及び発明が解決しようとする課題】
特に夏季においては、窓を開放し、自然の空気の中で就寝することが、健康な生活をおくる上では望ましいが、カやハエに代表される飛翔昆虫の飛来によってしばしば安眠が妨害されるために、その防御策として従来から蚊帳を吊るす、蚊取り線香や吸液芯型液体蚊取り器などにより殺虫剤を空気中に気化させる、あるいは室内を密閉してエアコンなどによって空調を行うなどの方法が採られてきた。
【０００３】
本発明の課題は、就寝中の人体に飛来または接近する不快な害虫を効率的に忌避することにより就寝時のヒトに充分な睡眠をもたらし得、かつ安全上も問題のない害虫忌避枕を提供することにある。
【０００４】
【課題を解決するための手段】
本発明者らは鋭意研究を行った結果、枕に天然防虫成分を含有させることにより前記課題が人体に悪影響を及ぼすことなく解決できることを見出し、本発明に至った
即ち本発明は、天然防虫成分が枕の構成部材に含有されてなる害虫忌避枕（以下、本枕と記す。）及び本枕を用いる人体から害虫を忌避させる方法に関するものである。
【０００５】
【発明の実施の形態】
本枕に使用される天然に存在する防虫成分は、天然物由来で防虫効果があるものであれば特に制限なく使用可能であるが、揮散性を有するものが好ましく、更にはその２０℃における蒸気圧が１０ー５〜１０−１ｍｍＨｇのものがより好ましい。
【０００６】
天然防虫成分としては、例えば植物精油が挙げられ、具体的にはティ−トリ−油、パチョリ油、ペパーミント油、ハッカ油、ヒノキ油、ヒバ中性油、ヒバ酸性油、油パイン油、シソ油、イヌハッカ油、シダ−ウッド油、ラベンダー油、コリアンダー油、ユーカリ油、シトロネラ油、ライム油、レモングラス油、ネロリ油、ヒバ油、タイム油、ヒソップ油、ローズマリー油、ローズ油、イランイラン油、コショウ油、シナモン油、クスノキ油、ローレル油、カミツレ油、ヨモギ油、オリバヌム油、タラゴン油、べチバー油、クローブ油、ベイ油、ゼラニウム油、セージ油、バジル油、パセリ油、スターアニス油、フェンネル油、マヌカ油、ガルバナム油、グアイアックウッド油、センキュウ油、ディル油、バイオレット油、アンゲリカ油、ターメリック油、ショウガ油、アンブレット油、ウインターグリーン油等を挙げることができる。また、ヒバ酸性油に含まれるヒノキチオールを挙げることもできる。中でもヒノキチオールが好ましい。
【０００７】
また、パチョリ油に存在する４−ヒドロキシ−６−メチル−３−（４−メチル−２−ペンタノリル）−２−ピロンは、特開２００２−１２５０６号公報に記載のように防虫性能が高く、その使用により高い不快害虫に対する忌避性能が期待されるので好ましく使用することができる。
これらは単独でまたは２種以上の混合物で使用することができる。
【０００８】
本発明における対象害虫としては例えば以下のものが挙げられる。
双翅目害虫
アカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ、ヒメイエバエ等のイエバエ類、クロバエ類、ニクバエ類、タネバエ、タマネギバエ等のハナバエ類、ミバエ類、ショウジョウバエ類、チョウバエ類、アブ類、ブユ類、サシバエ類、ヌカカ類等
【０００９】
網翅目害虫
チャバネゴキブリ、クロゴキブリ、ワモンゴキブリ、トビイロゴキブリ、コバネゴキブリ等
【００１０】
膜翅目害虫
アリ類、スズメバチ類、アリガタバチ類、カブラハバチ等のハバチ類等
【００１１】
隠翅目害虫
イヌノミ、ネコノミ、ヒトノミ等
【００１２】
シラミ目害虫
ヒトジラミ、ケジラミ、アタマジラミ、コロモジラミ等
【００１３】
等翅目害虫
ヤマトシロアリ、イエシロアリ等
【００１４】
室内塵性ダニ類
コナヒョウヒダニ、ヤケヒョウヒダニ等のヒョウヒダニ類、ケナガコナダニ、ムギコナダニ等のコナダニ類、チリニクダニ、イエニクダニ、サナアシニクダニ等のニクダニ類、クワガタツメダニ、フトツメダニ等のツメダニ類、ホコリダニ類、マルニクダニ類、イエササラダニ類、ナミハダニ、カンザワハダニ、ミカンハダニ、リンゴハダニ等のハダニ類、フタトゲチマダニ等のマダニ類。
【００１５】
半翅目害虫
ヒメトビウンカ、トビイロウンカ、セジロウンカ等のウンカ類、ツマグロヨコバイ、タイワンツマグロヨコバイ等のヨコバイ類、アブラムシ類、カメムシ類、コナジラミ類、カイガラムシ類、グンバイムシ類、キジラミ類等
【００１６】
鞘翅目害虫
ヒメカツオブシムシ、ヒメマルカツオブシムシ、ウエスタンコーンルートワーム、サザンコーンルートワーム等のコーンルートワーム類、ドウガネブイブイ、ヒメコガネ等のコガネムシ類、コクゾウムシ、イネミズゾウムシ、ワタミゾウムシ、アズキゾウムシ等のゾウムシ類、チャイロコメノゴミムシダマシ、コクヌストモドキ等のゴミムシダマシ類、イネドロオイムシ、キスジノミハムシ、ウリハムシ等のハムシ類、シバンムシ類、ニジュウヤホシテントウ等のエピラクナ属　（Ｅｐｉｌａｃｈｎａ　ｓｐｐ．）、ヒラタキクイムシ類、ナガシンクイムシ類、カミキリムシ類等
【００１７】
本枕の構成部材としては通常、収納体及びその中に充填される充填物が挙げられ、必要によりこれらを保護する枕カバーも構成部材とすることができる。
【００１８】
該収納体、該充填物及び該枕カバーは、通常の寝具店、スーパーマーケット等で販売されているものと同様のものを使用することができ、収納体や枕カバーとしては、例えば綿、麻、紙等の天然繊維製のものや、レーヨン、ポリエステル、ポリウレタン等の合成樹脂製のものを挙げることができ、充填物としては、そば殻、籾殻、綿、木片、パルプ等の天然物や、ポリプロピレン、ポリエチレン、ポリスチレン、ポリウレタン等の合成樹脂を挙げることができる。充填物は綿状、砂状、粒状、小片状、パイプ状等種々の形態でありえる。
【００１９】
天然防虫成分を本枕の構成部材へ含有させる方法としては、例えば、前記収納体、充填物あるいは枕カバーの原料である樹脂の成形時や繊維の紡糸時に天然防虫成分を添加する方法の他、収納体や枕カバーの表面に塗工する方法や、充填物の表面に噴霧する方法等を挙げることができる。
【００２０】
天然防虫成分を前記樹脂や繊維などの構成部材の原料へ添加し、成形あるいは紡糸する場合、前記樹脂や繊維の主成分と同じ成分に天然防虫成分を高濃度で混合した製剤（マスターバッチ）を予め作製しておき、該製剤を構成部材の成型時、天然防虫成分を含有しない他の原料と混合する方法が一般的である。
【００２１】
収納体や枕カバーの表面に天然防虫成分を塗工する方法としては、該収納体や枕カバーによく展着するよう展着剤とともに天然防虫成分を乳剤、フロアブル剤、油剤等の製剤としてから処理するのが一般的である。また、充填物に噴霧する方法としては、前記天然防虫成分を含有する乳剤、フロアブル剤、油剤等の製剤を該充填物に適当な噴霧器を用いて噴霧処理するのが一般的である。
【００２２】
天然防虫成分の添加量は、収納体または充填物の原料中に混合する場合は、混合する各構成部材に対し０．０１〜２０重量％、好ましくは０．１〜１０重量％であり、収納体の表面に塗工処理または充填物の表面に噴霧処理する場合は、処理する各構成部材に対し、通常０．００５〜１０重量％、好ましくは０．０５〜５重量％である。枕カバーの原料と混合する場合は、枕カバーに対し、通常０．００５〜１０重量％で、好ましくは、０．０５〜５重量％であり、枕カバーの表面に塗工処理する場合は、枕カバーに対し、通常０．００１〜５重量％、好ましくは０．０１〜１重量％である。
【００２３】
本枕には、吸湿性、抗菌性、マイナスイオン発生剤等の機能性物質を含有していても良い。また、ピペロニルブトキサイドのような共力剤を天然防虫成分と併用することもできる。
【００２４】
本枕は、通常の枕と同様にして就寝時に頭に当てることにより、効率的に人体から害虫を忌避させることができる。
【００２５】
次に、実施例で本発明を更に詳細に説明するが、本発明は実施例のみに限定されるものではない。
【００２６】
【実施例】
ヒノキチオール７５０ｍｇをエチルアルコール１０ｍＬに溶かした溶液を、目付け５０ｇのポリエステル不織布０．３ｍ２に塗布し、エチルアルコールを蒸散させた。この不織布を、ポリエステル製パイプが充填物として綿製の収納体中に充填された枕の枕カバーとして使用し、兵庫県西宮市の住宅地で２００１年８月の晴天の夜、窓を開放して午後１１時に就寝した。朝６時まで目覚めることなく熟睡できた。また、蚊等による顔面、首筋への刺交は全くなかった。
【００２７】
【発明の効果】
本発明によれば、就寝中の人体に飛来または接近する不快な害虫を効率的に忌避することにより就寝時のヒトに充分な睡眠をもたらし得、かつ安全上も優れた害虫忌避枕を提供できる。